(57)【要約】【課題】  電子の逃げを遮断し、より多くの電子を血液に作用させることができる磁気バンドを提供する。【解決手段】素材が金属以外の部材であり、曲がった形状を保持する手段を有するバンド部材に、少なくとも一枚の薄板状又は薄箔状の面を有する非磁性電導金属部材を重ね合わせて、少なくとも二層の構造とする。更に前記二つの部材のいずれかに永久磁石を取り付け、永久磁石のＮ極とＳ極とで形成される磁束がバンド部材及び非磁性電導金属部材の内側に隆起させる。更にバンド部材の曲がった部分において、非磁性電導金属部材の面が磁束方向と直交する方向と交差する構造になっている。これを腕や脚等に付けると、内側の血液が磁束内を通過することにより、磁束及び血液の流れの向きに対して直交方向に生じる電界を前記非磁性電導金属部材で遮断して電子の漏洩を阻止し、該電子を血液に作用させることを特徴とする磁気バンドを提供する。【選択図】      図１
2005246019.tif 000002
【特許請求の範囲】
【請求項１】
材質が金属以外の部材であり、曲った形状を保持する手段を有するバンド部材に、少なくとも一枚の薄板状又は薄箔状の面を有する非磁性電導金属部材を重ね合わせて、少なくとも二層の構造とする。更に前記二つの部材のいずれかに永久磁石を取り付け、永久磁石のＮ極とＳ極とで形成される磁束をバンド部材及び非磁性電導金属部材の内側に隆起させる。更にバンド部材の曲った部分において、非磁性電導金属部材の面が磁束方向と直交する方向と交差する構造となっている。これを腕や脚等に付けると、内側の血液が磁束内を通過することにより、磁束及び血液の流れの向きに対して直交方向に生じる電界を前記非磁性電導金属部材で遮断して電子の漏洩を阻止し、該電子を血液に作用させることを特徴とする磁気バンド。
【請求項２】
非磁性電導金属部材が水素の標準電極電位よりも電位の高い金属であることを特徴とする請求項１に記載の磁気バンド。
【請求項３】
電位の高い金属が金又は銀または銅であることを特徴とする請求項２に記載の磁気バンド。
【請求項４】
二つの永久磁石の其々のＮ極とＳ極とを対にして対向させて取り付けたことを特徴とする請求項１〜３のいずれかに記載の磁気バンド。
【請求項５】
非磁性電導金属部材の面が板材又は網材又は金属粒子の蒸着又は鍍金で形成されていることを特徴とする請求項１〜４のいずれかに記載の磁気バンド。
【請求項６】
バンド部材が伸縮性を有する織物又は編物を環状に形成し、曲がった形状を保持する手段とした請求項１〜５のいずれかに記載の磁気バンド。
【請求項７】
バンド部材が両端部を有しており、両端部に長さを調整できる止め具を取り付けて曲がった形状を保持する手段とした請求項１〜５のいずれかに記載の磁気バンド。
【請求項８】
バンド部材に接着剤を付けて曲がった形状を保持する手段とした請求項１〜５のいずれかに記載の磁気バンド。
【発明の詳細な説明】
【技術分野】
【０００１】  本発明は腕や脚等に付けて血液を活性化させる磁気バンドに関する。
【背景技術】
【０００２】  従来からバンドに永久磁石を取りつけて手首に嵌める環状の磁気バンドや接着テープに磁石をつけて体に貼る磁石付きシートは有った。しかし乍ら、これらのものは単に磁力線を体内に放出し、それによって発生する電界を血液に作用させるというのが技術基調となっていた。血液への作用を増大せしめるには永久磁石の数を増やすことと磁気力を増やすと言うものであった。従来の技術では起電流によって発生する電子即ちマイナスイオンが血液に作用する考え方はなく、発生した電子の多くは逃げて行くというのが実情であった。その点からして従来の物は作用が十分であったとは言えない。
【発明が解決しようとする課題】
【０００３】  本発明は上記の問題を解決するもので、電子の逃げを遮断し、より多くの電子を血液に作用させることを課題とする。
【課題を解決するための手段】
【０００４】  上記課題を解決するために、本発明は次ぎの如き磁気バンドを提供する。
１、材質が金属以外の部材であり、曲った形状を保持する手段を有するバンド部材に、少なくとも一枚の薄板状又は薄箔状の面を有する非磁性電導金属部材を重ね合わせて、少なくとも二層の構造とする。更に前記二つの部材のいずれかに永久磁石を取りつけ、永久磁石のＮ極とＳ極とで形成される磁束をバンド部材及び非磁性電導金属部材の内側に隆起させる。更にバンド部材の曲った部分において、非磁性電導金属部材の面が磁束方向と直交する方向と交差する構造となっている。これを腕や脚等に付けると、内側の血液が磁束内を通過することにより、磁束及び血液の流れの向きに対して直交方向に生じる電界を前記非磁性電導金属部材で遮断して電子の漏洩を阻止し、該電子を血液に作用させることを特徴とする磁気バンド。
【発明実施の形態】
【０００５】  以下、図面を参照しながら本発明の各態様に係る磁気バンドに関して説明する。以下の説明は、本発明の技術思想を具現化する幾つかの具体例を説明するものであり、本発明は以下の説明に限定されるものではない。
【０００６】  図１は本発明の一態様に係る斜視図である。本発明の磁気バンドは腕や脚等、体の環状の曲面を有する部位に付けて使用するものである。図１に示す磁気バンドはバンド部材１と非磁性電導金属部材２と永久磁石３とで構成されている。各部材に就いて説明すれば、バンド部材１は材質が金属以外のものであって、或る長さを有しており、非磁性電導金属部材２を取り付けるためのものである。使用時には湾曲して腕や脚に付けられる構造となっており、又曲部をその形で保持する手段を有している。本図ではゴム糸の入った繊維で編んだ織物を環状の伸縮性を有する部材をバンド部材１としている。本態様のバンド部材１は形状を環状にすることで湾曲面を保持している。この場合、断面形状な任意である。次ぎに非磁性電導金属部材であるが、これは磁気を帯びない、且つ電気を通す金属を示す。形状としては面を有する薄板状又は薄箔上のものである。薄板状であれば板材でも網材でも良いし、薄箔状であればバンド部材又は他部材への蒸着に依るもの又はバンド部材又は他部材への鍍金に依るものでも良い。本図は薄板材で示している。実施上、網を使用する場合は網目の面積が全体の５０％以下であることが好ましい。５０％以上の場合は複数枚重ね合わせれば効果を得ることはできる。そして永久磁石３であるが、これはＮ極とＳ極とで形成される磁束４がバンド部材１及び非磁性電導金属部材２の内側に隆起するように取りつけられている。本発明の磁気バンドは以上の構成であるが、これを使用する際は、バンド部材の曲がりに依り非磁性電導金属部材２が曲げられ非磁性電導金属部材２が永久磁石３の磁束４を臨む位置において、磁束に直交する方向と面を交差させて位置付けされる。実施上、非磁性電導金属部材２は少なくとも３ｃｍ以上の長さを必要とする。それ以下では磁束４に直交する方向に交差させる長さを十分に取れなくなってしまうからである。又この場合、非磁性電導金属部材２の薄板の面は磁束４に直交する方向に対して直交する必要は無く、９０°以上又は以下の角度を有して交差して対向していて構わない。又非磁性電導金属部材２がバンド部材１の外側に有る場合には、両部材は一体化させる必要が有る。そのようにしないとバンド部材１のみが曲がることで両部材が離れてしまう不具合が生じるからである。実施上、バンド部材１の外側に前述の蒸着を施して一体化することも一つの方法である。又実施上、曲げ易さの点から非磁性電導金属部材２の厚みは０．２ｍｍ以下で柔軟性を有することが好ましい。又バンド部材１を二重に形成して、その中から永久磁石３を取り付けた非磁性電導金属部材２の薄板を出し入れできるようにしても良い。
【０００７】  作用に就いて説明すれば永久磁石３と非磁性電導金属部材２とが上述の様に配置されていると、磁束４内を腕又は脚内部の血液が矢印５の方向に流れた場合、起電流が発生し、この起電流は磁束４の縦方向部分６と血液の流れ（矢印５）に対して直交する方向に、即ち矢印７にて示される非磁性電導金属部材２の面に交差する方向に流れる。
【０００８】  この起電流の強度は磁束密度と電極距離と血液の流速に比例するものであり、次式に表すことができる。
Ｅ＝Ｋ・ＢｄＶ
Ｅ；起電流  Ｋ：定数  Ｂ：磁束密度  ｄ：電極距離  Ｖ：血液の流速
【０００９】  この起電流を放電損失の無い様に誘導帯電させ、この帯電により生じた電子即ちマイナスイオンを流れる血液中に効率良く放出（図１の矢印８）させるために配置されているのが上述の非磁性電導金属部材２であり、実施上は素材として、電位の高い金属の薄板材使用されることが好ましい。この場合、特に水素の標準電極電位よりも電位の高い金属、例えば金又は銀又は銅を使用すると効果は更に高まる。又これらの電位の高い非磁性電導金属部材の外側に電位の低い金属板を重ねても良い。このようにすると（接触電池作用）により電位の高い金属はより貴になり、電位の低い金属はより卑となり、電子の放出が促進されることとなる。又反対に電位の低い金属の内側に電位の高い金属を蒸着又は鍍金しても良い。この原理は公知であり広く認識されている。血液中に放出された電子は血液中の水分子（Ｈ２Ｏ）の一部を構成する酸素が電子受容体である為に、この酸素に電荷を与えて水の双極性を高めて水素原子の結合角を広くすることにより、水分子間の集合密度を増加せしめ、クラスターを小さくすることができるのである。上記のように本発明は流れる血液に磁力を作用させると共に電子を作用させ、この二つの作用により血液を活性化させるものである。
【００１０】  図２は他の態様に係る磁気バンドの構造を示す平面図である。図２に示す磁気バンドは二つの永久磁石３の其々のＮ極とＳ極とを対向させて配置したものである。このようにすると磁束の範囲を大きくすることができ、電子の放出効果をより高めることができる。
【００１１】  図３は他の態様に係る磁気バンドの構造を示す平面図である。図３に示す磁気バンドはバンド部材１の両端部に長さを調整できる止め具９を取りつけたものであり、本図では端部にマジックテープを取りつけてある。その他の止め具としてはバックルなどを使用しても良い。
【００１２】  図４はバンド部材１の内側に接着材１０を塗布した図である。本図では非磁性電導金属部材２はバンド部材１の外側に蒸着されている。
【００１３】  上記において、本発明の磁気バンドについて言及したが、実施上、他に次ぎの如きが言える。永久磁石の取りつけ位置及び個数は非電導金属部材との配置が前述の条件を満たしておれば任意である。永久磁石は上記以外の配置で二つの永久磁石を導方向に其々のＮ極とＳ極を向け、近接させて配置しても良い。又非電導金属部材の位置及び枚数も任意である。又寸法的には非磁性電導金属部材は長さが３ｃｍ以上で幅は任意である。又非磁性電導金属部材をプラスチックで包んでも良い。又上記説明においては本発明の磁気バンドを腕や脚に付けるものとして説明したが、使用対象は腕や脚のみに限定されるものではない。
【発明の効果】
【００１４】  本発明に係る磁気バンドによれば、はめている間に磁石の作用と電子の作用により、血液を活性化させることができる。
【図面の簡単な説明】
【図１】  本発明の一態様に係る磁気バンドの形態を示す斜視図である。
【図２】  本発明の一態様に係る磁気バンドの構造を示す平面図である。
【図３】  本発明の一態様に係る磁気バンドの構造を示す平面図である。
【図４】  本発明の一態様に係る時期バンドの構造を示す部分拡大図である。
【符号の説明】
１    バンド部材
２    非磁性電導金属部材
３    永久磁石
４    磁束
５    血液の流れ
６    磁束の縦方向部分
７    起電流の流れる方向
８    電子の放出される方向
９    止め具
１０  接着剤
【図１】
2005246019.tif 000003
【図２】
2005246019.tif 000004
【図３】
2005246019.tif 000005
【図４】
2005246019.tif 000006